(57)【要約】      （修正有）【課題】箱内に収納された収納物に応じた任意の位置及び高さで、この収納物の移動を規制することができる移動規制部材及びこれを用いた収納用箱を提供する。【解決手段】１枚の段ボール紙からなり、箱内で収納物の移動を規制する移動規制部材であって、略矩形状を有し、両側縁と平行に形成される１本又は複数本の第一折目線Ｌ１を有する第一シート部２と、この第一シート部の両側縁から第二折目線Ｌ２を介して延出する一対の第二シート部３とから形成する。さらに、上記第一シート部の側縁方向の幅が、上記箱の縦横いずれかの内寸以下であり、上記一対の第二シート部が、延出方向に沿って広がる略等脚台形状を有し、この延出方向先端側底縁の長さが上記内寸より大きく、かつ、延出方向後端側の頂点と延出方向先端側底縁上でかつ上記頂点より内側に位置する端点とを結ぶ弱化線Ｒを設ける。【選択図】図１
0003168700.tif 000002
【実用新案登録請求の範囲】
【請求項１】
１枚の段ボール紙からなり、箱内で収納物の移動を規制する移動規制部材であって、
略矩形状を有し、両側縁と平行に形成される１本又は複数本の第一折目線を有する第一シート部と、
この第一シート部の両側縁から第二折目線を介して延出する一対の第二シート部と
を備え、
上記第一シート部の側縁方向の幅が、上記箱の縦横いずれかの内寸以下であり、
上記一対の第二シート部が、延出方向に沿って広がる略等脚台形状を有し、この延出方向先端側底縁の長さが上記内寸より大きく、かつ、延出方向後端側の頂点と延出方向先端側底縁上でかつ上記頂点より内側に位置する端点とを結ぶ弱化線を有することを特徴とする移動規制部材。
【請求項２】
上記第一シート部が１本の第一折目線を有し、この第一折目線が両側縁から等距離の位置に形成されている請求項１に記載の移動規制部材。
【請求項３】
上記弱化線が上記端点から底縁と垂直方向に形成される第一弱化線、及びこの第一弱化線上の点と上記頂点とを結ぶ第二弱化線を有し、
上記第一弱化線と第二弱化線とがなす角が１２０°以上１５０°以下である請求項１又は請求項２に記載の移動規制部材。
【請求項４】
上記第一シート部の両側縁の長さが上記内寸と略等しく、この第一シート部の側縁方向の幅が、両側縁を除いて上記内寸未満である請求項１、請求項２又は請求項３に記載の移動規制部材。
【請求項５】
箱と、この箱内に配設される請求項１から請求項４のいずれか１項に記載の移動規制部材とを備え、
上記第二シート部の延出方向先端側底縁の長さが、上記内寸より１ｍｍ以上１６ｍｍ以下大きい収納用箱。
【考案の詳細な説明】
【技術分野】
【０００１】
本考案は、箱内の収容物の移動を規制する移動規制部材及びこれを用いた収納用箱に関する。
【背景技術】
【０００２】
通い箱や段ボール箱等の収納用の箱内に物品を収納して運搬する場合、収納物の動きを規制して破損や傷付きを防止するために緩衝材が利用される。緩衝材として、例えば、紙、スポンジ、発泡スチロール、エアパッキンが利用される。
【０００３】
収納物上部に隙間がある状態のまま運搬すると、箱内部で収納物が上下方向等に移動したり倒れたりして破損や傷付きの原因となる。そのため上下方向等の移動を規制するよう収納物の上部空間に緩衝材を充填する。例えば特開２００４−２６２５０７では段ボール製の緩衝材を利用する方法が開示されている。このように、運搬対象である物品と運搬に用いる箱の大きさが予め決まっている場合には、隙間空間の形状や容積に応じた専用の緩衝材を利用することができる。
【０００４】
しかし、規格によって規定されたサイズの箱を利用する場合でも、箱内に収納される物品には様々なサイズや形状のものが存在する。そのため、同一サイズの段ボール箱であっても収納物によって必要となる緩衝材が異なり、箱及び収納物に合わせた専用の緩衝材が必要となる。即ち上記方法では物品の大きさが異なる場合の対応が困難である。
【０００５】
また、例えば特開平１１−２９２１４９ではペレット状の発泡スチロールを、箱内壁と物品との隙間に充填し緩衝材とする方法が開示されている。その他、特開２００６−１１１３３９では、空気を充填した袋型緩衝材を利用する方法が開示されている。このように、小さなペレット状の緩衝材や、空気を利用した非定形の緩衝材を利用すれば、収納物と箱の隙間空間が一定でない場合にも対応することができる。
【０００６】
しかし、ペレット状の緩衝材を利用する場合、物品と箱の隙間全てをペレットで埋める必要があるため大量のペレットが必要となる。大量のペレットを管理し取り扱うには手間とコストがかかる上に、運搬先でペレットが廃棄される可能性を考慮すると環境的にも好ましくない。
【０００７】
空気を充填した袋型の緩衝材ではペレットのような問題は生じないが、袋内の空気量を隙間に応じた量にするための機能や設備と、空気量を調節するための作業が必要となる。また袋が破れる場合を考慮すると緩衝材としての信頼性に問題が残る。
【先行技術文献】
【特許文献】
【０００８】
【特許文献１】特開２００４−２６２５０７号公報
【特許文献２】特開平１１−２９２１４９号公報
【特許文献３】特開２００６−１１１３３９号公報
【考案の概要】
【考案が解決しようとする課題】
【０００９】
本考案は、これらの不都合に鑑みてなされたものであり、箱内に収納された収納物に応じた任意の位置及び高さで、この収納物の移動を規制することができる移動規制部材及びこれを用いた収納用箱の提供を目的とする。
【課題を解決するための手段】
【００１０】
上記課題を解決するためになされた考案は、
１枚の段ボール紙からなり、箱内で収納物の移動を規制する移動規制部材であって、
略矩形状を有し、両側縁と平行に形成される１本又は複数本の第一折目線を有する第一シート部と、
この第一シート部の両側縁から第二折目線を介して延出する一対の第二シート部と
を備え、
上記第一シート部の側縁方向の幅が、上記箱の縦横いずれかの内寸以下であり、
上記一対の第二シート部が、延出方向に沿って広がる略等脚台形状を有し、この延出方向先端側底縁の長さが上記内寸より大きく、かつ、延出方向後端側の頂点と延出方向先端側底縁上でかつ上記頂点より内側に位置する端点とを結ぶ弱化線を有することを特徴とする。
【００１１】
当該移動規制部材によれば、一対の第二シート部がこのような略等脚台形状を有し、かつ、この第二シート部の両サイドが特定形状に折り曲がるように形成される弱化線を有するため、変形した第二シート部の復元力により箱内で固定され、収納物の移動を規制することができる。また、当該移動規制部材によれば、第一及び第二折目線及び弱化線により、形状を自由に変形させることができるため、多様なサイズ及び形状の収納物に対応して、この収納物の移動を規制することができる。さらには、当該移動規制部材は、段ボール紙からなるため、環境にも優しく、また、上述の復元力を効果的に発揮させることができる。
【００１２】
上記第一シート部が１本の第一折目線を有し、この第一折目線が両側縁から等距離の位置に形成されていることが好ましい。当該移動規制部材によれば、このような位置に第一折目線を設けることで、この第一折目線に沿って第一シート部を折り曲げることにより、第一シート部を仕切板として機能させることができる。従って、当該移動規制部材の活用の幅を広げることができる。
【００１３】
上記弱化線が上記端点から底縁と垂直方向に形成される第一弱化線、及びこの第一弱化線上の点と上記頂点とを結ぶ第二弱化線を有し、上記第一弱化線と第二弱化線とがなす角が１２０°以上１５０°以下であることが好ましい。当該移動規制部材によれば、このような形状の弱化線を設けることで、箱内にこの移動規制部材を押し込んだ際、第二シート部がスムーズに変形し、所望する位置に固定しやすくなる。
【００１４】
上記第一シート部の両側縁の長さが上記内寸と略等しく、この第一シート部の側縁方向の幅が、両側縁を除いて上記内寸未満であるとよい。当該移動規制部材によれば、第一シート部を上記形状とすることで、第一シート部の両側縁の両端が箱内壁と当接し、かつ、第一シート部におけるその他の部分は箱内壁と接することがないため、箱内への挿入及び取り外しが容易になると共に、固定安定性が向上する。
【００１５】
本発明の収納用箱は、
箱と、この箱内に配設される当該移動規制部材とを備え、上記第二シート部の延出方向先端側底縁の長さが、上記内寸より１ｍｍ以上１６ｍｍ以下大きい収納用箱である。
【００１６】
当該収納用箱によれば、当該移動規制部材で収納物を固定することができるため、この収納物の箱内での移動が規制され、運搬等の際も収納物の移動を防止することができる。
【００１７】
ここで、「弱化線」とは、力が加えられたときに折目線となる位置でその曲げ強度を弱めるよう加工が施された線をいう。具体的には、罫線加工や切り込み加工等の各種加工が施された線である。
【考案の効果】
【００１８】
以上説明したように、本発明の移動規制部材によれば、箱内に収納された収納物に応じた任意の位置及び高さで、この収納物の移動を規制することができる。従って、当該移動規制部材は、発泡スチロールや、空気を充填した袋型の緩衝材の代替品として好適に用いることができる。
【図面の簡単な説明】
【００１９】
【図１】本考案の一実施形態に係る移動規制部材を示す平面図である。
【図２】図１の移動規制部材を用いた収納用箱の第一使用形態を示す斜視図である。
【図３】図２の収納用箱の第二使用形態を示す斜視図である。
【図４】図２の収納用箱の第三使用形態を示す斜視図である。
【図５】図２の収納用箱の第四使用形態を示す斜視図である。
【考案を実施するための形態】
【００２０】
以下、適宜図面を参照しつつ、本考案の実施の形態を詳説する。
【００２１】
図１の移動規制部材１は、１枚の段ボール紙からなり、箱内で収納物の移動を規制する部材である。この移動規制部材１は、第一シート部２と、一対の第二シート部３とを備える。なお、図１中の細線は、折目線及び弱化線を表す。
【００２２】
移動規制部材１を形成する段ボール紙としては特に限定されないが、強度の高さ及び加工成形の容易さの観点から、波形に形成された中芯の表面側に積層される表ライナ及び裏面側に積層される裏ライナを備える両面段ボールが好適に用いられる。
【００２３】
第一シート部２は、略矩形状を有する。この第一シート部２は、矩形から図１における上下側の辺が内側に切り欠かれた形状である。第一シート部２の両側縁（図１における左右の辺）の長さａは２１１ｍｍである。この両側縁の長さａは、この移動規制部材１を用いる箱の縦横いずれかの内寸（図２の箱１０における内寸Ａ）と略同一の長さとなっている。また、第一シート部２は、上述のように切り欠かれた形状となっているので、この側縁方向の幅は、両側縁を除いて２１１ｍｍより小さい、すなわち、上記内寸Ａ未満となっている。つまり、第一シート部２の側縁方向の幅は、どの部分においても箱１０の内寸Ａ以下となっている。一方、第一シート部２の側縁と垂直方向（図１における左右方向）の長さは、２１６ｍｍである。
【００２４】
第一シート部２は、両側縁と平行に形成される１本の第一折目線Ｌ１を有する。この第一折目線Ｌ１は、第一シート部２の両側縁から等距離の位置に形成されている。この第一折目線Ｌ１は、図１の状態において山折りとなるように形成される。この第一折目線Ｌ１の加工形状としては、断面略Ｖ字状の押圧線や、ハーフカット線等、この線に沿って折ることができる線であればいずれでもよいが、この第一折目線Ｌ１に沿って、第一シート部２を１８０°容易に折り曲げることができるように、ハーフカット線が好ましい。なお、ハーフカット線とは、主に表ライナ又は裏ライナを残して、他の部分が切り込まれた線を言う。
【００２５】
第一シート部２は、中央に孔部４を有している。この孔部４は、直径約２０ｍｍ程度の円形状である。この孔部４により、指を通して当該移動規制部材１を持つことができ、また、箱１０内の収納物を視認することもできる。
【００２６】
一対の第二シート部３は、上記第一シート部２の両側縁から第二折目線Ｌ２を介してそれぞれ延出している。
【００２７】
各第二シート部３は、延出方向（図１における左右方向）に沿って広がる略等脚台形状を有している。具体的には、延出方向後端側底縁の長さａは２１１ｍｍ（第一シート部２の両側縁の長さと同じ。）であり、延出方向先端側底縁の長さｂは２２１ｍｍである。この延出方向先端側底縁の長さは、上記内寸Ａより大きくなっている。また、延出方向の長さ（台形でいう高さ）は、８０ｍｍである。
【００２８】
上記第二折目線Ｌ２は、図１の状態において谷折りとなるように形成される。この第二折目線Ｌ２の加工形状としては、断面略Ｖ字状の押圧線や、ハーフカット線等、この線に沿って折ることができる線であればいずれでもよいが、断面略Ｖ字状の押圧線が好ましい。このような押圧線で第２折目線Ｌ２を形成することで、折り曲げた状態においてもその形状において、一定程度の強度を確保することができる。
【００２９】
上記各第二シート部３は、延出方向後端側の頂点Ｘと、延出方向先端側底縁上で、かつ上記頂点Ｘより内側に位置する端点Ｙとを結ぶ弱化線Ｒを有する。この弱化線Ｒは、上記端点Ｙから底縁と垂直方向（第二シート部３における台形の高さ方向）に形成される第一弱化線Ｒ１、及びこの第一弱化線Ｒ１上の点Ｚと上記頂点Ｘとを結ぶ第二弱化線Ｒ２を有する。なお、この弱化線Ｒは、各第二シート部３にそれぞれ２箇所ずつ、対称に形成されている。
【００３０】
上記第一弱化線Ｒ１と第二弱化線Ｒ２とがなす角θとしては、１２０°以上１５０°以下が好ましく、１３０°以上１４０°以下がさらに好ましい。この角θを上記範囲とすることで、後に詳述する形状の変形性及び変形した形状の安定性が向上する。この角θが１２０°未満の場合は、箱内に押し込んだ際に、第二シート部３が弱化線Ｒ２に沿って折れ曲がりにくくなる。逆に、この角θが１５０°を超える場合は、変形した状態の形状安定性が不十分となる場合がある。
【００３１】
上記弱化線Ｒ（第一弱化線Ｒ１及び第二弱化線Ｒ２）は、図１の状態において谷折りとなるように形成される。この弱化線Ｒの加工形状としては、断面略Ｖ字状の押圧線が好ましい。このような押圧線で弱化線Ｒを形成することで、箱内で変形した状態で固定された際に、一定程度の強度を確保することができる。
【００３２】
また、第一折目線Ｌ１をハーフカット線で、第２折目線Ｌ２及び弱化線Ｒを押圧線で形成した場合、同一方向からこれらの線を形成することができる。従って、この場合、加工生産性を高めることができる。
【００３３】
当該移動規制部材１は、上記第二折目線Ｌ２上であり、かつこの第二折目線Ｌ２と第一弱化線Ｒ１との交点が縁ととなるように形成される４つの孔部５を有する。この孔部５は一辺約２０ｍｍの略正方形状であり、角が丸められている。当該移動規制部材１によればこのような孔部５が形成されていることで、弱化線Ｒ（特に弱化線Ｒ１）に沿って第二シート部３を変形させた場合も、この変形を第一シート部２まで及ぼすことを防ぎ、第一シート部２の変形を防止することができる。また、上記孔部５を有することで、収納物の視認性を高めることができる。
【００３４】
また、当該移動規制部材１の各第二シート部３の延出方向先端側底縁の中央は、半円状に切り欠かれている。この半円の直径としては、約２０ｍｍ程度である。当該移動規制部材によれば、この第二シート部３に設けられた切り欠きによって、取り付け及び取りはずし作業を容易にし、また、収納物の視認性も高めている。
【００３５】
次に、当該移動規制部材１の使用方法を含め、本発明の収納用箱について主に図２を参照にしつつ説明する。
【００３６】
図２の収納用箱１１は、箱１０と、この箱１０内に配設される上記移動規制部材１とを備える。
【００３７】
上記箱１０は、段ボール箱であってもよいし、その他の紙製の箱又は例えばプラスチック製等、紙製以外の箱であってもよい。
【００３８】
この箱１０の縦横の内寸としては、横方向の内寸Ａが２１１ｍｍであり、縦方向の内寸Ｂが２２０ｍｍである。上記横方向の内寸Ａが、移動規制部材１における第一シート部２の両側縁の長さａと略等しくなっている。また、第二シート部３の延出方向先端側底縁の長さ（２２１ｍｍ）は、上記内寸Ａより１０ｍｍ程度（１ｍｍ以上１６ｍｍ以下）大きくなっている。なお、この箱１０の深さとしては１１０ｍｍ程度である。
【００３９】
上記箱１０内に、上記移動規制部材１を配設する際には、移動規制部材１の第一折目線Ｌ１を１８０°の山折りにし、第二折目線Ｌ２を約９０°の谷折りにした状態で、これらの折目線方向が箱１０の内寸Ａ方向となるように箱１０内に挿入する。この際、当該移動規制部材１によれば、一対の第二シート部３が上述のような略等脚台形状を有し、かつ、この第二シート部３の両サイドが折り曲がるように形成される弱化線Ｒを有するため、変形した第二シート部３の復元力により箱１０内で固定され、収納物２０の移動を規制することができる。
【００４０】
特に、当該移動規制部材１においては、弱化線Ｒを上述のような第一弱化線Ｒ１及び第二弱化線Ｒ２から形成することで、箱１０内にこの移動規制部材を押し込んだ際、第二シート部３がスムーズに変形し、所望する位置に固定しやすくなる。さらには、例えば、図２に示すように、角に位置する収納物２０に対し、弱化線Ｒの変形により、第二シート部３のサイドで固定することができる。
【００４１】
また、当該移動規制部材１によれば、第一折目線Ｌ１が第一シート部２の両側縁から等距離の位置に１本形成されているため、図２や図４に示すように、第一シート部２を仕切板として機能させることができる。例えば、図２のように移動規制部材１を配設した場合、箱１０内の手前の空間には、他の収納物を収納することができる。
【００４２】
また、当該移動規制部材１によれば、上記形状の第一折目線Ｌ１、第二折目線Ｌ２及び弱化線Ｒにより、形状を自由に変形させることができるため、多様なサイズ及び形状の収納物に対応して、この収納物の移動を規制することができる。
【００４３】
例えば、図３に示すように、奥のスペースにおいては収納物を上から押さえつけることで固定し、手前のスペースにおいては、通常どおり収納物を収納することができる。また、図４に示すように第一シート部２を１８０°折り曲げた状態で仕切板として使用することもできる。また、この仕切板（第一シート部２）の位置は前後に移動させることができる。さらには、図５に示すように上から収納物を抑える形で、収納物の移動を規制させることもできる。
【００４４】
さらには、当該移動規制部材１は、上述のように第一シート部２の両側縁の長さが上記内寸Ａと略等しく、この第一シート部２の側縁方向の幅が、両側縁を除いて上記内寸Ａ未満であるように形成されている。従って、第一シート部２の両側縁の両端が箱１０内壁と当接し、かつ、第一シート部２におけるその他の部分は箱１０の内壁と接することがないため、箱１０内への挿入及び取り外しが容易になると共に、固定安定性が向上する。
【００４５】
また、当該移動規制部材１は、段ボール紙からなるため、環境にも優しく、また、上述の復元力を効果的に発揮させることができる。
【００４６】
従って、当該収納用箱１１によれば、当該移動規制部材１で収納物を固定することができるため、この収納物の箱内での移動が規制され、運搬等の際も収納物の移動を防止することができる。
【００４７】
なお、本考案の移動規制部材及び収納用箱は上記実施形態に限定されるものではない。移動規制部材のサイズは、対応する箱のサイズに応じて適宜変更することができる。なお、この際、上記第二シート部の延出方向先端側底縁の長さを、箱の内寸より１ｍｍ以上１６ｍｍ以下大きくすることで、固定性及び取りはずしの容易性を良好に両立させることができる。
【００４８】
また、本考案における移動規制部材において、第一折目線を複数設けてもよい。このように複数の第一折目線を形成することで、例えば、第一シート部を蛇腹状に変形させることができ、収納物の移動規制方法の幅を広げることができる。
【産業上の利用可能性】
【００４９】
以上のように、本考案の移動規制部材は、通い箱や段ボール箱に収納する物品の上下、左右、前後方向の移動を規制する緩衝材としての利用に適している。従って、本考案の移動規制部材を用いた収納用箱（通い箱や段ボール箱等）は、様々なサイズや形状を有する物品を収納する収納用箱としての利用に適している。
【符号の説明】
【００５０】
１  移動規制部材
２  第一シート部
３  第二シート部
４  孔部
５  孔部
１０  箱
１１  収納用箱
２０  収納物
Ｌ１  第一折目線
Ｌ２  第二折目線
Ｒ  弱化線
Ｒ１  第一弱化線
Ｒ２  第二弱化線
Ｘ  頂点
Ｙ  端点
Ｚ  第一弱化線上の点
【図１】
0003168700.tif 000003
【図２】
0003168700.tif 000004
【図３】
0003168700.tif 000005
【図４】
0003168700.tif 000006
【図５】
0003168700.tif 000007